(57)【要約】【課題】解体用のミシン目のないティッシュボックスや大きさの異なるティッシュボックスにも適用でき、しかも販売促進用の商品として好適に利用可能なティッシュボックスホルダを提供する。【解決手段】壁面Ｗに対して着脱自在に取り付けられる上部ホルダ１０と下部ホルダ３０とを有するティッシュボックスホルダ１であって、上部ホルダ１０は、壁面Ｗに対する上部取付部１１と、この上部取付部１１から前方へ延びてティッシュボックス２を上側から押さえる押さえ部１２とを有し、下部ホルダ３０は、壁面Ｗに対する下部取付部３１と、この下部取付部３１から前方へ延びてティッシュボックス２を下側から支持する支持部３２とを有し、上部取付部１１及び下部取付部３１に壁面Ｗへの固定用の固定手段２１、４１を設け、押さえ部１２と支持部３２とにティッシュボックス２の脱落を防止する滑止部材１３、３３を設けた。【選択図】図１
0003130514.tif 000002
【実用新案登録請求の範囲】
【請求項１】
壁面に対して着脱自在に取り付けられる上部ホルダと下部ホルダとを有し、上部ホルダと下部ホルダとでティッシュボックスを上下両側から保持して、壁面にティッシュボックスを固定するティッシュボックスホルダであって、
前記上部ホルダは、壁面に対する上部取付部と、この上部取付部から前方へ延びてティッシュボックスを上側から押さえる押さえ部とを有し、
前記下部ホルダは、壁面に対する下部取付部と、この下部取付部から前方へ延びてティッシュボックスを下側から支持する支持部とを有し、
前記上部取付部及び下部取付部に壁面への固定用の固定手段を設け、
前記押さえ部と支持部とにティッシュボックスの脱落を防止する滑止部材を設けた、
ことを特徴とするティッシュボックスホルダ。
【請求項２】
前記固定手段として、永久磁石を設けた請求項１記載のティッシュボックスホルダ。
【請求項３】
前記上部取付部及び下部取付部の裏面に吸盤取付用の取付孔を形成し、前記固定手段として、取付孔に着脱可能に吸盤を設けた請求項１又は２記載のティッシュボックスホルダ。
【請求項４】
前記上部取付部の上端部と下部取付部の下端部の少なくとも一方に後方へ突出する凸部を形成した請求項１〜３のいずれか１項記載のティッシュボックスホルダ。
【請求項５】
前記押さえ部と支持部の少なくとも一方の基部に左右１対の切込部を形成し、素材の弾性により押さえ部と支持部の少なくとも一方をティッシュボックスに圧接可能となした請求項１〜４のいずれか１項記載のティッシュボックスホルダ。
【請求項６】
前記上部ホルダの上部取付部に上方へ延びる表示部を一体的に形成した請求項１〜５のいずれか１項記載のティッシュボックスホルダ。
【考案の詳細な説明】
【技術分野】
【０００１】
本考案は、部屋の壁や冷蔵庫などの壁面にティッシュボックスを固定するのに好適なティッシュボックスホルダに関する。
【背景技術】
【０００２】
部屋の壁や冷蔵庫などの家具類の壁面に対してティッシュボックスを固定するためのティッシュボックスホルダとして、種々の形態のものが提案され、実用化されている。
【０００３】
例えば、特許文献１には、ティッシュボックスに外嵌される長方形筒状の保持具と、保持具に取り付けた吸盤や永久磁石などからなる吸着部材とを有し、保持具の長手方向両側壁の内側面に突起を形成し、ティッシュボックス側面の解体用のミシン目を切り裂いて形成される挿入穴に前記突起を嵌合させて、ティッシュボックスに対して前記保持具を外嵌固定し、これを吸着部材で冷蔵庫等の壁面に固定可能となしたティッシュボックスホルダが記載されている。
【０００４】
また、特許文献２には、ティッシュボックスの長手方向の両側をそれぞれ保持する１対の保持具からなるティッシュボックスホルダであって、保持具に永久磁石からなる取付部を設けるとともに、保持具の側壁部に弾性舌片を切起こしにより形成し、解体用のミシン目を切り裂いて形成される挿入穴に前記弾性舌片を嵌合させて、ティッシュボックスの両端部に保持具を固定し、これを壁面に磁気吸着させてティッシュボックスを冷蔵庫等の壁面に固定可能となしたティッシュボックスホルダが記載されている。
【０００５】
【特許文献１】特開２００４-２８３５９８号公報
【特許文献２】特開２００６-８９１４１号公報
【考案の開示】
【考案が解決しようとする課題】
【０００６】
ところで、前記特許文献１記載のティッシュボックスホルダでは、保持具をティッシュボックスに外嵌させる関係上、ティッシュボックスホルダがどうしても大型になり、製作コストが高くなるとともに、輸送や保管のコストも高くなるという問題がある。また、解体用の挿入穴を利用して、ティッシュボックスを保持具に保持させている関係上、解体用の挿入穴を有しないティッシュボックスには適用できないし、異なる大きさのティッシュボックスにも適用できないという問題がある。
【０００７】
一方、特許文献２記載のティッシュボックスホルダでは、保持具を小型に構成できるので、製作コストを安くできるとともに、輸送や保管のコストも安くできるという利点を有する。しかし、特許文献１記載のティッシュボックスホルダと同様に、解体用の挿入穴を利用してティッシュボックスに保持具を固定する関係上、解体用の挿入穴を有しないティッシュボックスには適用できないという問題がある。また、特許文献２記載のティッシュボックスホルダでは、保持具がティッシュボックスの左右に配置される関係上、これを商品等の販売促進用として用いる場合には、販売を促進する対象商品の商品名や製造会社名などを表示するための表示部が見難い位置に配置されるとともに、表示スペースを十分に確保できないという問題がある。
【０００８】
本考案の目的は、解体用のミシン目のないティッシュボックスや大きさの異なるティッシュボックスにも適用でき、しかも販売促進用の商品として好適に利用可能なティッシュボックスホルダを提供することである。
【課題を解決するための手段】
【０００９】
本考案に係るティッシュボックスホルダは、壁面に対して着脱自在に取り付けられる上部ホルダと下部ホルダとを有し、上部ホルダと下部ホルダとでティッシュボックスを上下両側から保持して、壁面にティッシュボックスを固定するティッシュボックスホルダであって、前記上部ホルダは、壁面に対する上部取付部と、この上部取付部から前方へ延びてティッシュボックスを上側から押さえる押さえ部とを有し、前記下部ホルダは、壁面に対する下部取付部と、この下部取付部から前方へ延びてティッシュボックスを下側から支持する支持部とを有し、前記上部取付部及び下部取付部に壁面への固定用の固定手段を設け、前記押さえ部と支持部とにティッシュボックスの脱落を防止する滑止部材を設けたものである。
【００１０】
このティッシュボックスホルダでは、上部取付部に設けた固定手段により上部ホルダを壁面に固定するとともに、下部取付部に設けた固定手段により下部ホルダを壁面に固定し、下部ホルダの支持部と上部ホルダの押さえ部間にティッシュボックスを保持させて、ティッシュボックスを壁面に固定することになる。また、この状態でティッシュボックスは、押さえ部と支持部とに設けた滑止部材によりその移動が規制されるので、ティッシュボックスからティッシュを引き出すときの引き出し抵抗により、ティッシュボックスがティッシュボックスホルダから脱落するという不具合を防止できる。更に、ティッシュボックスを上下のホルダ間に挟んで保持するので、解体用のミシン目等を有さないティッシュボックスであっても適用できるし、大きさの異なるティッシュボックスに対しても適用できる。更にまた、ティッシュボックスの上下に配置される上部ホルダと下部ホルダとでティッシュボックスホルダを構成できるので、特許文献１記載のティッシュボックスホルダのように、ティッシュボックス全体に外嵌させる場合と比較して、ティッシュボックスホルダを小型に構成できるとともに、安価に製作することが可能となる。しかも、上部取付部に上方へ延びる表示部を形成することで、ティッシュボックスの上側の見易い位置に大きな表示部を形成することが可能となり、このティッシュボックスホルダを各種商品の販売促進用の商品として利用することができる。
【００１１】
ここで、前記固定手段として、永久磁石を設けることが好ましい実施の形態である。この場合には、冷蔵庫やスチールラックなどの家具等の金属製の壁面に上下のホルダを固定して、ティッシュボックスを該壁面に固定することができる。また、壁面に沿って固定手段をスライドさせて上下のホルダの位置を調整できるので、ティッシュボックス固定時における作業性を向上できる。尚、磁石が吸着しない、木製やコンクリート製や石膏ボードやガラスなどかなる壁面においては、磁石が吸着する鉄板等からなる金属製の薄板を接着剤や両面テープで壁面に固定して、この薄板に対して固定手段を吸着させることもできる。
【００１２】
前記上部取付部及び下部取付部の裏面に吸盤取付用の取付孔を形成し、前記固定手段として、取付孔に着脱可能に吸盤を設けることも好ましい実施の形態である。この場合には、磁石が吸着しない壁面であっても、該壁面が平滑面である場合には、吸盤によって上下のホルダを壁面に固定することができる。
【００１３】
前記上部取付部の上端部と下部取付部の下端部の少なくとも一方に後方へ突出する凸部を形成することもできる。つまり、上下のホルダ間にティッシュボックスを保持させたときに、押さえ部は上側へ、また支持部は下側へそれぞれ多少変形することになるが、本考案のように凸部を形成すると、押さえ部と支持部とが先端側へ行くにしたがって相互に接近し、押さえ部及び支持部の素材の弾性でティッシュボックスを強固に保持できるので、ティッシュボックスのホールド性を一層向上できる。
【００１４】
前記押さえ部と支持部の少なくとも一方の基部に左右１対の切込部を形成し、素材の弾性により押さえ部と支持部の少なくとも一方をティッシュボックスに圧接可能となすことも好ましい実施の形態である。この場合には、押さえ部と支持部間においてティッシュボックスを弾性保持できるので、ティッシュボックスのホールド性をより一層向上できる。
【００１５】
前記上部ホルダの上部取付部に上方へ延びる表示部を一体的に形成することもできる。本考案ではティッシュボックスの上側の見易い位置に大型な表示部を配置できるので、表示部に販売促進する対象商品の商品名や製造会社名などをプリントすることで、このティッシュボックスホルダを販売促進用の商品として好適に利用できる。
【考案の効果】
【００１６】
本考案に係るティッシュボックスホルダによれば、ティッシュボックスを上下のホルダ間に挟んで保持するので、解体用のミシン目等を有さないティッシュボックスであっても適用できるし、大きさの異なるティッシュボックスに対しても適用できる。また、ティッシュボックスの上下に配置される上部ホルダと下部ホルダとでティッシュボックスホルダを構成できるので、特許文献１記載のティッシュボックスホルダのように、ティッシュボックス全体に外嵌させる場合と比較して、ティッシュボックスホルダを小型に構成できるとともに、安価に製作することが可能となる。更に、支持部及び押さえ部に滑止部材を設けているので、ティッシュの抜き取り時における操作抵抗で、ティッシュボックスが上下のホルダから脱落するという不具合を効果的に防止できる。しかも、上部取付部に上方へ延びる表示部を形成することで、ティッシュボックスの上側の見易い位置に大きな表示部を形成することが可能となり、このティッシュボックスホルダを各種商品の販売促進用の商品として利用することができる。
【考案を実施するための最良の形態】
【００１７】
以下、本考案を実施するための最良の形態について図面を参照しながら説明する。
図１、図２に示すように、ティッシュボックスホルダは、壁面Ｗに対して着脱自在に取り付けられる上部ホルダ１０と下部ホルダ３０とで構成され、上部ホルダ１０と下部ホルダ３０とでティッシュボックス１を上下両側から保持して、壁面Ｗにティッシュボックス１を固定するももので、上部ホルダ１０は、壁面Ｗに対する上部取付部１１と、この上部取付部１１から前方へ延びてティッシュボックス１を上側から押さえる押さえ部１２とを有し、下部ホルダ３０は、壁面Ｗに対する下部取付部３１と、この下部取付部３１から前方へ延びてティッシュボックス１を下側から支持する支持部３２とを有し、上部取付部１１及び下部取付部３１に壁面Ｗへの固定用の固定手段２１、４１を設け、押さえ部１２と支持部３２とにティッシュボックス１の脱落を防止する滑止部材１３、３３を設けたものである。
【００１８】
上部ホルダ１０について説明すると、図１〜図３に示すように、裏面側（壁面への固定側）を開放した正面視略長方形状の扁平な箱本体１４が設けられ、箱本体１４の左右方向の中央部には固定手段２１が内装されている。固定手段２１の左右両側において箱本体１４の裏面側には左右１対の蓋体１５が４本のビス１６で固定され、この蓋体１５により固定手段２１の両側を略隙間なく閉蓋するように構成されている。箱本体１４と蓋体１５とで上部取付部１１が構成され、固定手段２１は上部取付部１１に対して裏面が外部に露出するように設けられている。
【００１９】
箱本体１４の上面の後側縁には上方へ延びる表示部１７が一体的に形成され、この表示部１７には販売促進に供される商品の商品名や会社名（図示略）がプリントされている。尚、本実施の形態では、ティッシュボックスホルダを販売促進用の商品として利用することを前提としたが、ティッシュボックスホルダ自体を商品として販売する場合には、この表示部１７は省略することができる。
【００２０】
箱本体１４の前面の上側縁には前方へ延びる押さえ部１２が一体的に形成されている。押さえ部１２の左右方向の長さは、任意に設定できるが、安定性良くティッシュボックス１を保持できるように、ティッシュボックス１の左右方向の長さの１／４以上の長さに設定することが好ましい。
【００２１】
押さえ部１２の前端近傍部には左右１対の貫通孔１８が形成され、両貫通孔１８にはシリコンゴムなどからなる滑止部材１３が下側へ突出状にそれぞれ嵌合固定され、この滑止部材１３の下端部がティッシュボックス１の上面に圧接されることで、ティッシュボックス１上面の前後左右方向への移動が規制されるように構成されている。
【００２２】
押さえ部１２の基部には左右方向に延びる左右１対の切込部１９が形成されている。この切込部１９は、押さえ部１２の左右方向の長さの１／３〜１／４の長さに設定され、両切込部１９間における押さえ部１２の弾性変形を促進させて、押さえ部１２の素材の弾性でティッシュボックス１のホールド性を向上できるように構成されている。但し、この切込部１９は省略することも可能である。
【００２３】
箱本体１４の裏面側の上端部には後方へ突出する左右１対の凸部２０が一体的に形成され、図２に示すように、上部取付部１１を固定手段２１により壁面Ｗに対して固定した状態で、上部取付部１１の上端部と壁面Ｗ間に凸部２０の突出高さに相当する隙間が形成され、上部取付部１１が壁面Ｗに対して傾斜状に取付けられ、押さえ部１２が前方下がりの緩傾斜状に配置されるように構成されている。この凸部２０の高さは、高すぎると壁面Ｗに固定した状態での上部ホルダ１０の見栄性が低下し、低すぎると押さえ部１２によるティッシュボックス１のホールド性が低下するので、０．５ｍｍ〜１ｍｍに設定することが好ましい。但し、この凸部２０は、省略することも可能である。
【００２４】
固定手段２１について説明すると、上下１対の側壁部２２ａと後壁部２２ｂとからなる側面視略コ字状のヨーク２２を設けられ、両側壁部２２ａ間には正面視長方形状の扁平な永久磁石２３が設けられ、永久磁石２３はヨーク２２の後壁部２２ｂに固着されている。ヨーク２２の側壁部２２ａは永久磁石２３よりもやや後方へ突出され、側壁部２２ａの後端部が壁面Ｗに磁気吸着されるように構成されている。ヨーク２２の後壁部２２ｂには左右１対の取付部２２ｃが形成され、この取付部２２ｃに形成した取付孔２２ｄに箱本体１４に形成した位置決めピン２４を挿通させて、固定手段２１は箱本体１４に位置決めされ、この状態で蓋体１５を取付けることで、蓋体１５の側縁で取付部２２ｃの基部が押されて、固定手段２１が箱本体１４に位置決め固定されるように構成されている。ヨーク２２及び永久磁石２３の裏面側には、図示していないが保護テープが貼着され、ヨーク２２が壁面Ｗに直接的に接触して、壁面Ｗが傷つくことを防止できるように構成されている。
【００２５】
蓋体１５には吸盤取付用の左右１対の瓢箪型の取付孔２６が形成され、図３、図５に示すように、この取付孔２６に対して吸盤２７を取り付けることで、吸盤２７によっても、上部ホルダ１０を壁面Ｗに固定できるように構成されている。吸盤２７には環状溝２７ａを有する軸部２７ｂが形成され、吸盤２７は、軸部２７ｂを取付孔２６の大径孔２６ａに嵌合させた後、小径孔２６ｂ側に軸部２７ｂを移動させることで、取付孔２６に対して着脱可能に取り付けられる。吸盤２７は周知の構成のもので、弾性に富む周辺部を薄肉とした円形ドーム状をなしており、これを平面に押しつけ円形ドーム状内側の空気を押し出すことにより円形ドーム状内側を真空とし、該真空による吸引力により吸盤２７を壁面Ｗに固定するものである。
【００２６】
下部ホルダ３０について説明するが、この下部ホルダ３０は、上部ホルダ１０から表示部１７、切込部１９を省略した以外は、上部ホルダ１０を倒立状に配置したものと同様に構成されている。
【００２７】
下部ホルダ３０について説明すると、図１、図２、図４に示すように、裏面を開放した正面視略長方形状の扁平な箱本体３４が設けられ、箱本体３４の左右方向の中央部には固定手段４１が内装されている。固定手段４１の左右両側において箱本体３４の裏面側には左右１対の蓋体３５が４本のビス３６で固定され、蓋体３５は固定手段２１の両側を略隙間なく閉蓋するように配置されている。箱本体３４と蓋体３５とで下部取付部３１が構成され、固定手段４１は下部取付部３１に対して裏面が外部に露出するように設けられている。
【００２８】
箱本体３４の前面の下側縁には前方へ延びる支持部３２が一体的に形成されている。尚、前記押さえ部１２と同様に、支持部３２の素材の弾性でティッシュボックス１のホールド性を向上できるように、支持部３２の基部に左右1対の切込部を形成することも可能である。
【００２９】
支持部３２の前端近傍部には左右１対の貫通孔３８が形成され、両貫通孔３８にはシリコンゴムなどからなる滑止部材３３が上側へ突出状にそれぞれ嵌合固定され、この滑止部材３３の上端部がティッシュボックス１の下面に圧接されることで、ティッシュボックス１下面の前後左右方向への移動が規制されるように構成されている。
【００３０】
箱本体３４の裏面側の下端部には後方へ突出する左右１対の凸部４０が一体的に形成され、図２に示すように、下部取付部３１を固定手段４１により壁面Ｗに対して固定した状態で、下部取付部３１の下端部と壁面Ｗ間に凸部４０の突出高さに相当する隙間が形成され、下部取付部３１が壁面Ｗに対して傾斜状に取付けられ、支持部３２が前方上がりの緩傾斜状に配置されるように構成されている。この凸部４０の高さは、高すぎると壁面Ｗに固定した状態での下部ホルダ３０の見栄性が低下し、低すぎると押さえ部１２によるティッシュボックス１のホールド性が低下するので、０．５ｍｍ〜１ｍｍに設定することが好ましい。但し、この凸部４０は、省略することも可能である。
【００３１】
固定手段４１は、前記固定手段２１と同様に構成され、上下１対の側壁部４２ａと後壁部４２ｂとからなる側面視略コ字状のヨーク４２と、両側壁部２２ａ間においてヨーク２２の後壁部２２ｂに固着した正面視長方形状の扁平な永久磁石４３とを備えている。ヨーク４２の後壁部４２ｂには左右１対の取付部４２ｃが形成され、この取付部４２ｃに形成した取付孔４２ｄに箱本体３４に形成した位置決めピン４４を挿通させて、固定手段４１は箱本体１４に位置決めされ、この状態で蓋体３５を取付けることで、蓋体３５の側縁で取付部４２ｃの基部が押されて、固定手段４１が箱本体３４に位置決め固定されるように構成されている。尚、ヨーク４２及び永久磁石４３の裏面側には、図示していないが保護テープが貼着され、ヨーク４２が壁面Ｗに直接的に接触して、壁面Ｗが傷つくことを防止できるように構成されている。
【００３２】
蓋体３５には吸盤取付用の左右１対の瓢箪型の取付孔４６が、前記上部ホルダ１０と同様に形成され、図４、図５に示すように、取付孔４６に対して吸盤４７を取り付けることで、吸盤４７によっても、上部ホルダ１０を壁面Ｗに固定できるように構成されている。吸盤４７には環状溝４７ａを有する軸部４７ｂが形成され、吸盤４７は、軸部４７ｂを取付孔４６の大径孔４６ａに嵌合させた後、小径孔４６ｂ側に軸部４７ｂを移動させることで、取付孔４６に対して着脱可能に取り付けられる。
【００３３】
前述のような構成のティッシュボックスホルダを用いてティッシュボックス１を壁面Ｗに固定する際には、滑止部材３３を相互に対面させて、上部ホルダ１０と下部ホルダ３０とを壁面Ｗに対して上下に固定することになる。その際、壁面Ｗが鉄板など、磁石が吸着可能な金属板で構成されている場合には、固定手段２１の永久磁石２３で壁面Ｗに直接的に固定し、磁石が吸着不能な場合には、取付孔２６、４６に吸盤４７を取り付けて、壁面Ｗに上部ホルダ１０と下部ホルダ３０とを固定することになる。
【００３４】
次に、上部ホルダ１０の押さえ部１２と下部ホルダ３０の支持部３２間に、ティッシュの取出口２が前面に配置されるように、ティッシュボックス１を配置させて、押さえ部１２と支持部３２間にティッシュボックス１を挟持して、滑止部材１３、３３をティッシュボックス１の上下面にそれぞれ圧接させて、ティッシュボックス１の前後左右方向への移動が拘束されるように、上部ホルダ１０と下部ホルダ３０間にティッシュボックス１を固定保持することになる。このとき、凸部２０、４０により押さえ部１２と支持部３２とは先端側へ行くにしたがって相互に接近するように傾斜しているので、押さえ部１２及び支持部３２の先端部に十分な挟持力を作用させることができ、また押さえ部１２の基部には切込部１９が形成されているので、切込部１９間における素材の弾性により、押さえ部１２をティッシュボックス１の上面に十分な力で圧接できるので、上部ホルダ１０と下部ホルダ３０間に強固に保持させることが可能となり、ティッシュボックス１からティッシュを引き抜くときにおける引き抜き抵抗によって、ティッシュボックス１が脱落することはない。また、ティッシュボックス１の上側の目に付き易い位置に大きな表示部１７が配置されるので、表示部１７に各種商品の商品名や製造会社などを印刷したり刻印したりすることで、このティッシュボックスホルダを販売促進用として利用することができる。
【図面の簡単な説明】
【００３５】
【図１】ティッシュボックスホルダ及びティッシュボックスの斜視図
【図２】ティッシュボックスホルダによりティッシュボックスを壁面に対して固定した状態での側面図
【図３】上部ホルダの分解斜視図
【図４】下部ホルダの分解斜視図
【図５】吸盤を用いた場合の図２相当図
【符号の説明】
【００３６】
２      ティッシュボックス    ２      取出口
１０    上部ホルダ            １１    上部取付部
１２    押さえ部              １３    滑止部材
１４    箱本体                １５    蓋体
１６    ビス                  １７    表示部
１８    貫通孔                １９    切込部
２０    凸部                  ２１    固定手段
２２    ヨーク                ２２ａ  側壁部
２２ｂ  後壁部                ２２ｃ  取付部
２２ｄ  取付孔                ２３    永久磁石
２４    ピン                  ２６    取付孔
２６ａ  大径孔                ２６ｂ  小径孔
２７    吸盤                  ２７ａ  環状溝
２７ｂ  軸部
３０    下部ホルダ            ３１    下部取付部
３２    支持部                ３３    滑止部材
３４    箱本体                ３５    蓋体
３６    ビス                  ３８    貫通孔
４０    凸部                  ４１    固定手段
４２    ヨーク                ４２ａ  側壁部
４２ｂ  後壁部                ４２ｃ  取付部
４２ｄ  取付孔                ４３    永久磁石
４４    ピン                  ４６    取付孔
４６ａ  大径孔                ４６ｂ  小径孔
４７    吸盤                  ４７ａ  環状溝
４７ｂ  軸部                  Ｗ      壁面
【図１】
0003130514.tif 000003
【図２】
0003130514.tif 000004
【図３】
0003130514.tif 000005
【図４】
0003130514.tif 000006
【図５】
0003130514.tif 000007